(57)【要約】【課題】  運転停止時の排水動作を自動化したミスト発生装置を提供する。【解決手段】  運転スイッチ２８が操作され運転停止信号が出力されたら、排水トレー５内が満水かを判断した上で貯水管２３と排水管２５とが連通するよう三方弁２２の弁を切り替えて、貯水室８内の水が全て排水トレー５内に流入可能な時間である２０秒が経過したら貯水管２３と給水管２４、及び貯水管２３と排水管２５とが連通しないよう三方弁２２の弁を切り替えるので、運転スイッチ２８を操作するだけで貯水室８内の水を排水トレー５内へ流入させることができ、器具本体１の運転を停止した後にユーザーがタンク収納室１６から給水タンク１４を抜いて排水レバーを操作することなく貯水室８内の水を排水することができるため使い勝手が向上する。【選択図】  図５
2015158281.tif 000002
【特許請求の範囲】
【請求項１】
器具本体と、該器具本体内に設置され水を貯める貯水室と、該貯水室内の水を破砕してナノメートルサイズのミストとマイナスイオンを発生させるミスト発生手段と、該ミスト発生手段で発生したナノメートルサイズのミストとマイナスイオンを含んだ加湿空気を室内に送風する送風ファンと、前記器具本体に収納され所定量の水を内部に貯水する給水タンクと、前記器具本体内に設置され前記給水タンクから供給された水を貯める給水室と、前記貯水室と前記給水室とを接続して前記給水室内の水を前記貯水室へ流入させる通水経路と、前記器具本体内にあり排水された水が流入する排水トレーと、前記送風ファンを駆動させ前記器具本体に形成された送風口から前記ミスト発生手段で発生した加湿空気を送風するミスト運転を実施する制御部とを備え、前記通水経路の途中に前記排水トレーへ水を流入する排水管と一端が接続した三方弁を設置し、前制御部は、前記ミスト運転開始時に前記給水室から前記貯水室へ水が流動するよう前記三方弁を切り替え、前記ミスト運転停止時に前記貯水室から前記排水トレーへ水が流動するよう前記三方弁を切り替えることを特徴としたミスト発生装置。
【請求項２】
前記排水トレー内の水位を検知する排水センサを設置し、前記制御部は、前記ミスト運転停止時に前記排水センサで検知された水位が所定水位以上であれば前記通水経路と前記排水管とが連通しないよう前記三方弁を切り替えることを特徴とした請求項１記載のミスト発生装置。
【請求項３】
前記排水トレー内の水位を検知する排水センサを設置し、前記制御部は、前記ミスト運転停止時に前記貯水室から前記排水トレーへ水が流入するよう前記三方弁を切り替えた後、前記排水センサで検知された水位が所定水位以上となったら、前記通水経路が連通せずかつ前記通水経路と前記排水管とが連通しないよう前記三方弁を切り替えることを特徴とした請求項１又は２記載のミスト発生装置。
【請求項４】
前記制御部は、前記排水センサで検知された水位が所定水位以上であれば前記排水トレー内の水を排水するよう報知することを特徴とした請求項２又は３記載のミスト発生装置
【請求項５】
前記ミスト発生手段は、前記貯水室内に下端を水没させ、回転により水を汲み上げて飛散させる筒状の回転体と、該回転体を回転駆動させるミストモータと、前記回転体の回転により飛散された水が衝突する衝突体とで構成されていることを特徴としたミスト発生装置。
【発明の詳細な説明】
【技術分野】
【０００１】
この発明は、ナノメートルサイズのミストとマイナスイオンを含んだ加湿空気を発生させて送風するミスト発生装置に関するものである。
【背景技術】
【０００２】
従来、この種のものにおいて、給水タンク内の水を所定量だけ貯める給水室から通水経路を介して貯水室に水を流入させ、前記貯水室内の水をミスト発生手段によって破砕することでナノメートルサイズのミストとマイナスイオンを発生させ、室内にナノメートルサイズのミストとマイナスイオンを含む加湿空気を送風するミスト運転を行うものがあり、ミスト運転終了後に給水タンクを抜いて器具本体に設置された排水レバーを操作することで通水経路から排水トレーへ通じる流路が開放され、給水室及び貯水室内の水を排水トレー内に排水することで、貯水室内に水を残さず菌やカビの発生を防止するものがあった。（例えば、特許文献１）
【先行技術文献】
【特許文献】
【０００３】
【特許文献１】特開２０１２−１２７５８９号公報
【発明の概要】
【発明が解決しようとする課題】
【０００４】
しかし、この従来のものでは、ミスト運転終了後にユーザーが自ら給水タンクを抜いてから排水レバーを操作しなければ貯水室内の水を排水することができないため使い勝手が悪く、また、排水レバーを操作すると給水タンクから供給された新鮮な水を貯めている給水室内の水も貯水室の水と一緒に排水しており、排水する必要のない水まで排水していたことから改善の余地があった。
【課題を解決するための手段】
【０００５】
上記課題を解決するために、本発明の請求項１では、器具本体と、該器具本体内に設置され水を貯める貯水室と、該貯水室内の水を破砕してナノメートルサイズのミストとマイナスイオンを発生させるミスト発生手段と、該ミスト発生手段で発生したナノメートルサイズのミストとマイナスイオンを含んだ加湿空気を室内に送風する送風ファンと、前記器具本体に収納され所定量の水を内部に貯水する給水タンクと、前記器具本体内に設置され前記給水タンクから供給された水を貯める給水室と、前記貯水室と前記給水室とを接続して前記給水室内の水を前記貯水室へ流入させる通水経路と、前記器具本体内にあり前記貯水室及び前記給水室内から排水された水が流入する排水トレーと、前記送風ファンを駆動させ前記器具本体に形成された送風口から前記ミスト発生手段で発生した加湿空気を送風するミスト運転を実施する制御部とを備え、前記通水経路の途中に前記排水トレーへ水を流入する排水管と一端が接続した三方弁を設置し、前記制御部は、前記ミスト運転開始時に前記給水室から前記貯水室へ水が流動するよう前記三方弁を切り替え、前記ミスト運転停止時に前記貯水室から前記排水トレーへ水が流動するよう前記三方弁を切り替えることを特徴とする。
【０００６】
また、請求項２では、前記排水トレー内の水位を検知する排水センサを設置し、前記制御部は、前記ミスト運転停止時に前記排水センサで検知された水位が所定水位以上であれば前記通水経路と前記排水管とが連通しないよう前記三方弁を切り替えることを特徴とする。
【０００７】
また、請求項３では、前記排水トレー内の水位を検知する排水センサを設置し、前記制御部は、前記ミスト運転停止時に前記貯水室から前記排水トレーへ水が流入するよう前記三方弁を切り替えた後、前記排水センサで検知された水位が所定水位以上となったら、前記通水経路が連通せずかつ前記通水経路と前記排水管とが連通しないよう前記三方弁を切り替えることを特徴とする。
【０００８】
また、請求項４では、前記制御部は、前記排水センサで検知された水位が所定水位以上であれば前記排水トレー内の水を排水するよう報知することを特徴とする。
【０００９】
また、請求項５では、前記ミスト発生手段は、前記貯水室内に下端を水没させ、回転により水を汲み上げて飛散させる筒状の回転体と、該回転体を回転駆動させるミストモータと、前記回転体の回転により飛散された水が衝突する衝突体とで構成されていることを特徴とする。
【発明の効果】
【００１０】
この発明によれば、通水経路の途中に排水トレーへ水を流入する排水管と一端が接続した三方弁を設置し、ミスト運転開始時に給水室から貯水室へ水が流入するよう三方弁を切り替え、ミスト運転停止時に貯水室から排水トレーへ水が流入するよう三方弁を切り替えるので、ミスト運転が終了したら貯水室内の水のみを排水トレー内へ自動的に流入させることができることから、排水する前にユーザーが給水タンクを抜いて排水レバーを操作するといった作業を要することがなく使い勝手が向上し、また、貯水室内の水のみを排水することができることから、給水室内の綺麗な水が排水されず節水することができる。
【００１１】
また、排水トレー内の水位を検知する排水センサを設置し、ミスト運転停止時に排水センサで検知された水位が所定水位以上であれば通水経路と排水管とが連通しないよう三方弁を切り替えるので、排水トレー内に所定水位以上の水があるにも関わらず貯水室内の水が流入することを防止できるため、排水トレーから水が溢れ出すことを確実に防止できる。
【００１２】
また、排水トレー内の水位を検知する排水センサを設置し、ミスト運転停止時に貯水室から排水トレーへ水が流入するよう三方弁を切り替えた後、排水センサで検知された水位が所定水位以上となったら、通水経路が連通せずかつ通水経路と排水管とが連通しないよう三方弁を切り替えるので、貯水室内の水を排水している時に排水トレー内が所定水位以上になったら、貯水室内の水を給水室及び排水トレー内へ流入させないよう三方弁を切り替えるため、給水室内の綺麗な水が貯水室へ流入することがなく更に排水トレーから水が溢れ出すことを確実に防止できる。
【００１３】
また、排水センサで検知された水位が所定水位以上であれば排水トレー内の水を排水するよう報知するので、ユーザーが排水トレー内が満水で排水する必要があることを容易に理解することができるため、使い勝手が向上する。
【００１４】
また、ミスト発生手段は、貯水室に下端を水没させ、回転により水を汲み上げて飛散させる筒状の回転体と、該回転体を回転駆動させるミストモータと、回転体の回転により飛散された水が衝突する衝突体とで構成されているので、貯水室内の水を回転体で汲み上げて衝突体に衝突させる簡易な構成によってナノミストとマイナスイオンを多量に発生させることができるため、組付けが容易であり低コストでミスト発生手段を構成できる。
【図面の簡単な説明】
【００１５】
【図１】この発明の一実施形態の器具本体の外観を説明する斜視図
【図２】同実施形態の概略構成図
【図３】同実施形態の制御ブロック図
【図４】同実施形態のミスト運転開始時の制御を説明するフローチャート
【図５】同実施形態のミスト運転終了時の制御を説明するフローチャート
【発明を実施するための形態】
【００１６】
次に、この発明の一実施形態におけるミスト発生装置を図に基づいて説明する。
１は器具本体であり、該器具本体１の下面を構成する下面ケース２と、上面を構成する上面ケース３とで構成されている。
【００１７】
４は器具本体１内で発生した加湿空気を室内に放出する送風口、５は器具本体１の正面に引き出し用の取っ手が形成され、器具本体１内で発生した排水を所定量だけ貯留可能な排水トレー、６は器具本体１の上面に形成され開閉自在の給水タンク扉、７は各種操作用のスイッチが設置された操作部である。
【００１８】
８は器具本体１内に固定され所定量の水を貯めることができる貯水室、９は前記貯水室８内の貯水に下端を水没させ駆動軸１０に軸支された筒状の回転体であり、回転体９は略中央部で駆動軸１０の端部と図示しないナットで固定されており、ナットを外して回転体９を取り外すことで回転体９の清掃を行うことができる。
【００１９】
前記回転体９は、中空逆円錐形で上方に向かって径が徐々に拡大するものであり、駆動軸１０に接続され回転体９を回転駆動させるミストモータ１１を駆動させ、回転体９が回転することでの回転の遠心力で貯水室８内の貯水を汲み上げ、回転体９の外壁および内壁を伝わせて水を押し上げて、回転体９の外壁を伝わせて押し上げた水を周囲に飛散させると共に、回転体９の内壁を伝わせて押し上げた水を回転体９の上端に形成された複数の図示しない飛散口から周囲に飛散させる。
【００２０】
１２は回転体９の上部外周に所定間隔を離間させて位置し、回転体９と共に回転する円筒状の多孔体で、該多孔体１２には、その全周壁に多数のスリットや金網やパンチングメタル等から成る衝突体としての多孔部１３が設置されており、前記回転体９、前記ミストモータ１１及び前記多孔部１３でミスト発生手段が構成されている。
【００２１】
前記ミスト発生手段を構成するミストモータ１１を駆動させ、回転体９を回転させたことで発生する遠心力によって貯水室８内の水を汲み上げると共に空気を飛散させ、多孔部１３を通過した水滴が破砕されることで、水の粒子を微細化してナノメートル（ｎｍ）サイズのミストが生成すると共に、水の粒子の微細化によるレナード効果でマイナスイオンを多量に発生させるものである。
【００２２】
１４は所定量の水を内部に貯水可能なカートリッジ式の給水タンク、１５は給水タンク１４の先端に装着された給水蓋、１６は前記給水タンク１４を前記器具本体１内に収納可能なタンク収納室、１７は該タンク収納室の下部にあり前記給水蓋１５が設置可能な突起１８を備えた給水室であり、給水タンク１４がタンク収納室１６内に収納され、給水蓋１５の図示しない流入口が突起１８によって持ち上げられることで、給水タンク１４内の水を給水室１７へ供給することができる。
【００２３】
１９は給水室１７内に設置され、フロートが上下することで水位を検知する給水センサであり、給水室１７内の水位が低下して所定水位以下になったらＯＮ信号を出力し、水位が上昇して所定水位以上になったらＯＦＦ信号を出力することで、給水室１７内の水位を確認する。
【００２４】
２０は所定の回転数で駆動する送風ファンであり、器具本体１の背面にある図示しない吸い込み口から吸い込んだ室内空気を吹き出して、貯水室８を通過させて送風口４から送風することで、貯水室８内で発生させたナノメートルサイズのミストとマイナスイオンとを含んだ加湿空気を室内に供給する。
【００２５】
２１は貯水室８と給水室１７とを接続する配管で構成された通水経路、２２は該通水経路２１の途中に設置された三方弁であり、通水経路２１は、貯水室８と三方弁２２とを接続する貯水管２３と、給水室１７と三方弁２２とを接続する給水管２４とで構成されている。
【００２６】
なお、貯水室８と給水室１７とは器具本体１内において同一の高さとなるように設置されていることで、貯水管２３と給水管２４とが連通するよう三方弁２２の弁を切り替えると給水室１７内の水が貯水室８内に供給され、給水室１７の水面の高さと貯水室８の水面の高さが同一となる。
【００２７】
２５は三方弁２２に一端が接続され配管内の水を前記排水トレー５内へ流入させる排水管であり、三方弁２２を切り替えることで貯水管２３と給水管２４又は排水管２５とが連通可能となる。
【００２８】
２６は排水トレー５の側面に設置されマグネット２７の接続有無によってＯＮ／ＯＦＦ状態を切り替えて排水トレー５内の水位が検知可能な近接センサ方式の排水センサであり、排水トレー５内が所定水位以上となってマグネット２７が排水センサ２６から離れたらＯＮ信号を出力して満水を検知し、排水トレー５内へ水が流入しないよう三方弁２２を切り替えることで排水トレー５から水が溢れ出すことを防止できるため、器具本体１の設置面を濡らすことがない。
【００２９】
２８は操作部７上に備えられた運転スイッチ、２９は該運転スイッチ２８が操作されたら点灯して運転状態であることを示す運転ランプであり、運転スイッチ２８が操作されたらミストモータ１１と送風ファン２０とを所定の回転数で駆動させるミスト運転の開始及び停止の指示信号を出力する。
【００３０】
３０は各センサで検知された検知値や操作部７上に備えられた各スイッチから送信された信号を受信し、各部の動作や弁の開閉等を出力して制御するマイコンで構成された制御部であり、該制御部３０には、ミスト運転の開始や三方弁２２の切り替えが実施されたことが出力されてから経過した時間をカウントする計時手段３１が備えられている。また、３２は給水センサ１９及び排水センサ２６のＯＮ／ＯＦＦ状態の出力信号に応じた音を鳴らして報知するスピーカである。
【００３１】
次に、本実施形態におけるミスト運転開始時の制御について図４のフローチャートに基づいて説明する。
まず、制御部３０は、操作部７上にある運転スイッチ２８が操作され運転開始信号が出力されたか判断し（ステップＳ１０１）、運転スイッチ２８が操作され運転開始信号が出力されていれば、操作部７上にある運転ランプ２９を点灯させ、貯水管２３と給水管２４とが連通するよう三方弁２２の弁を切り替えると共に計時手段３１が経過した時間のカウントを開始することで（ステップＳ１０２）、給水タンク１４から供給された水が溜まっている給水室１７内の水を貯水室８へ流入させる。また、ステップＳ１０１で運転スイッチ２８が操作されていなければ、制御部３０はステップＳ１０１の判断を繰り返す。
【００３２】
ステップＳ１０２で貯水管２３と給水管２４とが連通するよう三方弁２２の弁を切り替えたら、制御部３０は、計時手段３１でカウントした三方弁２２が切り替えられてからの時間が２０秒経過したか判断し（ステップＳ１０３）、２０秒経過していれば次のステップに進み、２０秒経過していなければステップＳ１０３の判断を繰り返す。
【００３３】
ステップＳ１０３で計時手段３１でカウントした三方弁２２が切り替えられてからの時間が２０秒経過していれば、制御部３０は、給水センサ１９がＯＦＦ状態になっているか判断し（ステップＳ１０４）、給水センサ１９がＯＦＦ状態であれば貯水室８内に十分な水が供給されたとしてミストモータ１１及び送風ファン２０を駆動させてミスト運転を開始し（ステップＳ１０５）、給水センサ１９がＯＮ状態であれば貯水室８内に十分な水が供給されておらず給水タンク１４内に水が空状態だと判断して、操作部７上の運転ランプ２９を消灯させ、スピーカ３２から警告音を鳴らすことで給水タンク１４内に水がなく空状態であることを報知する（ステップＳ１０６）。
【００３４】
なお、ステップＳ１０６で給水タンク１４内に水がなく空状態であることが報知された後、制御部３０は、給水センサ１９がＯＦＦ状態になったかの判断をし続けるので、ユーザーが運転スイッチ２８を操作せず停止信号を出力しないまま器具本体１内から給水タンク１４を抜き取り、給水タンク１４内に給水してから再度タンク収納室１６へ設置したら、制御部３０は、給水センサ１９がＯＦＦ状態になったと判断したら、ステップＳ１０５に進んでミスト運転を開始する。
【００３５】
以上のように、操作部７上にある運転スイッチ２８が操作され運転開始信号が出力されたら貯水管２３と給水管２４とが連通するように三方弁２２の弁を切り替えて、２０秒経過後に給水センサ１９がＯＦＦ状態になっていればミストモータ１１及び送風ファン２０の駆動を開始するので、貯水室８内に所定量以上の水が確実に貯められたことを確認した上でミスト運転を開始することができ、また、給水センサ１９がＯＮ状態であれば給水室１７に供給される水が不足しており、給水タンク１４が空状態であるとして運転ランプ２９とスピーカ３２とで報知するため、給水タンク１４内に水を補給することをユーザーに促すことができる。
【００３６】
次に、ミスト運転終了後の動作について図５のフローチャートに基づいて説明する。
まず制御部３０は、ミスト運転中に操作部７上にある運転スイッチ２８が操作され運転停止信号が出力されたか判断し（ステップＳ２０１）、運転スイッチ２８が操作され運転停止信号が出力されていれば、ミストモータ１１及び送風ファン２０の駆動を停止させ（ステップＳ２０２）、運転スイッチ２８が操作されていなければステップＳ２０１の判断を繰り返す。
【００３７】
ステップＳ２０２でミストモータ１１及び送風ファン２０の駆動を停止させたら、制御部３０は、排水センサ２６がＯＦＦ状態になっているか判断し（ステップＳ２０３）、排水センサ２６がＯＦＦ状態になっていれば排水トレー５が満水ではないとして、貯水管２３と排水管２５とが連通するように三方弁２２を切り替えると共に計時手段３１でのカウントを開始し（ステップＳ２０４）、貯水室８内の水を排水トレー５内へ流入させる。また、ステップＳ２０３で排水センサ２６がＯＮ状態になっていれば、制御部３０は、運転ランプ２９を消灯させスピーカ３２から警告音を鳴らすことで（ステップＳ２０５）、排水トレー５内が満水状態であることをユーザーへ報知し、器具本体１内から排水トレー５を取り出して洗面所等で水を排水するよう促す。
【００３８】
ステップＳ２０４で貯水管２３と排水管２５とを連通させると共に計時手段３１によるカウントを開始したら、制御部３０は、排水センサ２６がＯＮ状態になったか判断し（ステップＳ２０６）、排水センサ２６がＯＮ状態となっていれば排水トレー５内が満水になったとして貯水管２３と給水管２４、及び貯水管２３と排水管２５とが連通しないよう三方弁２２の弁を切り替えて、運転ランプ２９を消灯させスピーカ３２から警告音を鳴らすことで（ステップＳ２０７）、排水トレー５内が満水になったことをユーザーへ報知し、器具本体１内から排水トレー５を取り出して洗面所等で水を排水するよう促す。
【００３９】
ステップＳ２０６で排水センサ２６がＯＦＦ状態であれば、制御部３０は、ステップＳ２０４で計時手段３１により開始されたカウントが２０秒経過したか判断し（ステップＳ２０８）、カウントが２０秒経過していれば貯水室８内にあった水が全て排水トレー５内に流入したとして、貯水管２３と給水管２４、及び貯水管２３と排水管２５とが連通しないよう三方弁２２の弁を切り替えて、運転ランプ２９を点滅させ送風ファン２０を所定の回転数で所定時間だけ駆動させることで貯水室８内を乾燥させる乾燥運転を開始する（ステップＳ２０９）。また、ステップＳ２０８で計時手段３１でのカウントが２０秒経過していなければ、再度ステップＳ２０６で排水センサ２６がＯＮ状態になっているか判断する。
【００４０】
なお、ステップＳ２０５及びステップＳ２０７で排水トレー５内が満水になった後、制御部３０は、排水センサ２６がＯＦＦ状態かの判断をし続けるので、ユーザーが運転スイッチ２８を操作せずに器具本体１内から排水トレー５を抜き取って水を排水し、再度器具本体１内に排水トレー５を設置したら、制御部３０は、排水センサ２６がＯＦＦ状態になっていると判断したら、貯水管２３と排水管２５とが連通するよう三方弁２２の弁を切り替えて、貯水室８内の水が全て排水可能な時間である２０秒の経過を計時手段３１でカウントしたら、ステップＳ２０９へ進んで乾燥運転を開始する。
【００４１】
以上のように、運転スイッチ２８が操作され運転停止信号が出力されたら、排水トレー５内が満水かを判断した上で貯水管２３と排水管２５とが連通するよう三方弁２２の弁を切り替えて、貯水室８内の水が全て排水トレー５内に流入可能な時間である２０秒が経過したら貯水管２３と給水管２４、及び貯水管２３と排水管２５とが連通しないよう三方弁２２の弁を切り替えるので、運転スイッチ２８を操作するだけで貯水室８内の水を排水トレー５内へ流入させることができ、器具本体１の運転を停止した後にユーザーがタンク収納室１６から給水タンク１４を抜いて排水レバーを操作することなく貯水室８内の水を排水することができるため使い勝手が向上する。
【００４２】
また、貯水室８内の水のみを排水トレー５へ流入させるので、給水室１７内にある綺麗な状態の水が排水されず次回の運転時に使用することができるため、節水してミスト運転を行うことができる。
【００４３】
また、運転スイッチ２８が操作され運転停止信号が出力された後、排水センサ２６のＯＮ／ＯＦＦ状態を判断して排水トレー５内が満水であれば、三方弁２２を切り替えて貯水室８内の水が給水室１７及び排水トレー５内へ流入するのを防止し、運転ランプ２９とスピーカ３２とで排水トレー５が満水であることを報知するので、ミスト運転停止後に給水室１７内の綺麗な水が貯水室８へ流入することがなく、更に排水トレー５内から水が溢れ出すことを確実に防止でき、ユーザーが排水トレー５内の水を排水する必要があることを知ることができる。
【００４４】
なお、本実施形態では給水室１７内に給水センサ１９を設置して貯水室８の水位を判断しているが、これに限らず例えば、貯水室８内に水位センサを設置することや給水タンク１４の重量に基づいて貯水室８内の水位を判断する方法であってもよい。
【００４５】
また、本実施形態のステップＳ１０３やステップＳ２０８所定の方向にで三方弁２２を切り替えてから経過した時間が２０秒経過したか判断しているが、貯水室８や排水トレー５の容量によって計時手段３１でカウントする時間を適宜変更し、貯水室８に所定量の水が貯水されたことや排水トレー５内が満水であることを検知するものである。
【００４６】
また、本実施形態の説明で用いたミスト運転開始時や停止時の制御等は一例であり、三方弁２２の構造や操作部７上の運転スイッチ２８及び運転ランプ２９の報知方法によって制御内容が変わるため、本発明の趣旨を逸脱しない範囲において各数値は変更可能である。
【符号の説明】
【００４７】
１    器具本体
４    送風口
５    排水トレー
８    貯水室
９    回転体
１１    ミストモータ
１３    多孔部
１４    給水タンク
１７    給水室
２０    送風ファン
２１    通水経路
２２    三方弁
２５    排水管
２６    排水センサ
３０    制御部
【図１】
2015158281.tif 000003
【図２】
2015158281.tif 000004
【図３】
2015158281.tif 000005
【図４】
2015158281.tif 000006
【図５】
2015158281.tif 000007